(57)【要約】【課題】  柔軟に対処することが可能なモニタシステムを提供すること。【解決手段】    モニタシステム１は、センサ装置２とドアセンサ装置３とモニタ装置４とを備えている。センサ装置２は、窓の施解錠状態を監視する。ドアセンサ装置３は、玄関ドアの状態を検出する。モニタ装置４は、センサ装置２やドアセンサ装置３により検出された監視対象の施解錠状態を報知する。モニタ装置４は、マイコン４３を備えている。マイコン４３は、予め定められた所定の態様でセンサ装置２やドアセンサ装置３により監視対象の状態が検出されたとき、モニタ装置４を警戒モードから在宅モードへ移行させる。【選択図】      図１
2006177026.tif 000002
【特許請求の範囲】
【請求項１】
監視対象の状態を検出するセンサ装置と、そのセンサ装置により検出された監視対象の状態を報知するモニタ装置とを備えたモニタシステムにおいて、
前記モニタ装置は、予め定められた所定の態様でセンサ装置により監視対象の状態が検出されたとき、第１の態様で監視対象の状態を報知する第１モードから、第１の態様とは異なる第２の態様で監視対象の状態を報知する第２モードへ該モニタ装置を移行させる制御手段を備えたことを特徴とするモニタシステム。
【請求項２】
請求項１に記載のモニタシステムにおいて、
前記モニタ手段は、警報を発する報知手段を備え、
前記第１モードは、監視対象の状態が警報を発するべき状態であるときには、警報を発することで監視対象の状態を報知するモードである一方、
前記第２モードは、監視対象の状態が警報を発するべき状態であるときでも、警報を発することなく監視対象の状態を報知するモードであり、
前記制御手段は、第１モード中に監視対象の状態が警報を発するべき状態となって以後、前記所定の態様でセンサ装置により監視対象の状態が検出されることなく、予め定められた所定の猶予期間が経過したとき、報知手段を介して警報を発することを特徴とするモニタシステム。
【請求項３】
請求項１又は請求項２に記載のモニタシステムにおいて、
前記センサ装置は、監視対象の状態として、互いに異なる２つの状態である第１状態及び第２状態の各々を選択的に検出可能であり、
前記制御手段は、該所定の態様として、予め定められた所定の回数に亘ってセンサ装置により監視対象の第１状態から第２状態への切り替わりが検出されたとき、モニタ装置を第１モードから第２モードへ移行させることを特徴とするモニタシステム。
【請求項４】
請求項２に記載のモニタシステムにおいて、
前記センサ装置は、監視対象の状態として、互いに異なる２つの状態である第１状態及び第２状態の各々を選択的に検出可能であり、
前記制御手段は、第１モード中に監視対象の状態が警報を発するべき状態となって以後、予め定められた所定の時間が経過するまでの期間内にセンサ装置により検出された、監視対象の第１状態から第２状態への切り替わり、の回数が、予め定められた所定の回数であるときに限り、モニタ装置を第１モードから第２モードへ移行させることを特徴とするモニタシステム。
【請求項５】
請求項１〜請求項４のいずれか１項に記載のモニタシステムにおいて、
前記センサ装置は、互いに異なる複数の監視対象の各々の状態を検出すべく、複数のセンサ装置を含み、
前記制御手段は、該所定の態様として、予め定められた所定の順序に従って各センサ装置の各々により監視対象の状態が検出されたとき、モニタ装置を第１モードから第２モードへ移行させることを特徴とするモニタシステム。
【請求項６】
請求項５に記載のモニタシステムにおいて、
該所定の順序に従って各センサ装置の各々により監視対象の状態が検出される度に、該状態が検出されて以後、次に検出されるべき状態が検出されるまでに許容される新たな猶予期間が予め設定されており、
前記制御手段は、各猶予期間の各々の範囲内において、該猶予期間内に検出されるべき状態が検出されたとき、モニタ装置を第１モードから第２モードへ移行させることを特徴とするモニタシステム。
【発明の詳細な説明】
【技術分野】
【０００１】
本発明は、監視対象の状態を監視するモニタシステムに関する。
【背景技術】
【０００２】
特許文献１には、住宅の窓の施解錠状態を監視するモニタシステム（施解錠状態監視装置）が開示されている。モニタシステムは、センサ装置（子機）とモニタ装置（親機）とを備えている。センサ装置は、窓の施解錠状態を検出する。そして、センサ装置は、該センサ装置毎に個別に設定されたＩＤコードと、自身が監視する窓の施解錠状態を示す状態コード（施錠状態コード又は解錠状態コード）とを含むＩＤコード信号を外部に送信する。
【０００３】
一方、モニタ装置は、センサ装置から送信されてくるＩＤコード信号を受信したとき、そのＩＤコード信号に含まれているＩＤコードからセンサ装置を特定する。そして、モニタ装置は、同じくＩＤコード信号に含まれている状態コードから、該特定したセンサ装置により監視されている窓の施解錠状態を認識する。そして、モニタ装置は、該窓が施錠状態にあるのか或いは解錠状態にあるのかを視覚的に報知する。その結果、モニタシステムが設置された住宅の家人は、モニタ装置による報知内容を一瞥するだけで窓の施解錠状態を的確に把握することができる。
【０００４】
ここで、モニタ装置には、在宅モードや警戒モードが存在する。在宅モードでは、窓の施解錠状態を視覚的に報知することが主に行われ、窓が解錠されたときにはブザーが短時間に亘って鳴動される。一方、警戒モードでは、窓が解錠されたときにはブザーが長時間に亘って鳴動される。
【特許文献１】特開２００２−１１５４２９号公報
【発明の開示】
【発明が解決しようとする課題】
【０００５】
ところで、窓のみならずドアの施解錠状態をもモニタ装置により報知することができれば、モニタシステムを用いた集中管理が実現できて都合がよい。しかし、窓は外出や帰宅に伴って家人が出入りするためのものでないが、ドアは外出や帰宅に伴って家人が出入りするためのものである。このため、モニタ装置を警戒モードに設定して外出した後、帰宅に伴ってドアを解錠したとき、モニタ装置のブザーが長時間に亘って鳴動されてしまう。そこで、このようなときでも、ドアを解錠してから所定時間が経過するまでの期間内に暗証コードを入力した場合に限り、モニタ装置のブザーが長時間に亘って鳴動されないようにすることが考えられる。これは、該期間内に暗証コードが入力されたとき、モニタ装置の警戒モードが解除されてモニタ装置が警戒モードから在宅モードへ移行されることで実現される。
【０００６】
しかしながら、暗証コードを入力するためには、当然のことながら暗証コード入力用のスイッチが必須である。そうすると、モニタシステムのコストが高騰してしまう。従って、暗証コードを入力することなく、モニタ装置の警戒モードを解除することができれば好適である。勿論、高いセキュリティレベルや優れた利便性が得られれば更に好適である。
【０００７】
本発明は、このような問題点に着目してなされたものであって、その目的は、柔軟に対処することが可能なモニタシステムを提供することにある。
【課題を解決するための手段】
【０００８】
上記の目的を達成するために、請求項１に記載の発明では、監視対象の状態を検出するセンサ装置と、そのセンサ装置により検出された監視対象の状態を報知するモニタ装置とを備えたモニタシステムにおいて、前記モニタ装置は、予め定められた所定の態様でセンサ装置により監視対象の状態が検出されたとき、第１の態様で監視対象の状態を報知する第１モードから、第１の態様とは異なる第２の態様で監視対象の状態を報知する第２モードへ該モニタ装置を移行させる制御手段を備えたことを特徴とする。
【０００９】
請求項２に記載の発明では、請求項１に記載のモニタシステムにおいて、前記モニタ手段は、警報を発する報知手段を備え、前記第１モードは、監視対象の状態が警報を発するべき状態であるときには、警報を発することで監視対象の状態を報知するモードである一方、前記第２モードは、監視対象の状態が警報を発するべき状態であるときでも、警報を発することなく監視対象の状態を報知するモードであり、前記制御手段は、第１モード中に監視対象の状態が警報を発するべき状態となって以後、前記所定の態様でセンサ装置により監視対象の状態が検出されることなく、予め定められた所定の猶予期間が経過したとき、報知手段を介して警報を発することを特徴とする。
【００１０】
請求項３に記載の発明では、請求項１又は請求項２に記載のモニタシステムにおいて、前記センサ装置は、監視対象の状態として、互いに異なる２つの状態である第１状態及び第２状態の各々を選択的に検出可能であり、前記制御手段は、該所定の態様として、予め定められた所定の回数に亘ってセンサ装置により監視対象の第１状態から第２状態への切り替わりが検出されたとき、モニタ装置を第１モードから第２モードへ移行させることを特徴とする。
【００１１】
請求項４に記載の発明では、請求項２に記載のモニタシステムにおいて、前記センサ装置は、監視対象の状態として、互いに異なる２つの状態である第１状態及び第２状態の各々を選択的に検出可能であり、前記制御手段は、第１モード中に監視対象の状態が警報を発するべき状態となって以後、予め定められた所定の時間が経過するまでの期間内にセンサ装置により検出された、監視対象の第１状態から第２状態への切り替わり、の回数が、予め定められた所定の回数であるときに限り、モニタ装置を第１モードから第２モードへ移行させることを特徴とする。
【００１２】
請求項５に記載の発明では、請求項１〜請求項４のいずれか１項に記載のモニタシステムにおいて、前記センサ装置は、互いに異なる複数の監視対象の各々の状態を検出すべく、複数のセンサ装置を含み、前記制御手段は、該所定の態様として、予め定められた所定の順序に従って各センサ装置の各々により監視対象の状態が検出されたとき、モニタ装置を第１モードから第２モードへ移行させることを特徴とする。
【００１３】
請求項６に記載の発明では、請求項５に記載のモニタシステムにおいて、該所定の順序に従って各センサ装置の各々により監視対象の状態が検出される度に、該状態が検出されて以後、次に検出されるべき状態が検出されるまでに許容される新たな猶予期間が予め設定されており、前記制御手段は、各猶予期間の各々の範囲内において、該猶予期間内に検出されるべき状態が検出されたとき、モニタ装置を第１モードから第２モードへ移行させることを特徴とする。
【００１４】
以下、本発明の「作用」について説明する。
請求項１に記載の発明によると、予め定められた所定の態様でセンサ装置により監視対象の状態が検出されたとき、モニタ装置が第１モードから第２モードへ移行される。つまり、暗証コードを入力することなく、モニタ装置の第１モードを解除することが可能である。ここで、第１モードを解除するための該所定の態様を複雑なものとすれば高いセキュリティレベルが得られる。一方、該所定の態様を単純なものとすれば優れた利便性が得られる。要するに、モニタシステムに要求されるセキュリティレベルや利便性に応じた適切な態様を所望に応じて任意に設定することが可能である。
【００１５】
請求項２に記載の発明によると、第１モード中に監視対象の状態が警報を発するべき状態となって以後、所定の態様でセンサ装置により監視対象の状態が検出されることなく、所定の猶予期間が経過したとき、警報が発せられる。ここで、該猶予期間を短い期間に設定すれば高いセキュリティレベルが得られる。一方、該猶予期間を長い期間に設定すれば優れた利便性が得られる。要するに、モニタシステムに要求されるセキュリティレベルや利便性に応じた適切な猶予期間を所望に応じて任意に設定することが可能である。従って、柔軟に対処することができる。
【００１６】
請求項３に記載の発明によると、予め定められた所定の回数に亘って「切り替わり」が検出されたとき、モニタ装置が第１モードから第２モードへ移行される。ここで、第１モードを解除するための該所定の回数を解析し難いものとすれば高いセキュリティレベルが得られる。一方、該所定の回数を解析し易いものとすれば優れた利便性が得られる。要するに、モニタシステムに要求されるセキュリティレベルや利便性に応じた適切な回数を所望に応じて任意に設定することが可能である。従って、柔軟に対処することができる。
【００１７】
請求項４に記載の発明によると、該期間内に所定の回数未満しか「切り替わり」が検出されない場合は勿論のこと、該期間内に所定の回数を超えて「切り替わり」が検出された場合にも、モニタ装置の第１モードが維持される。従って、セキュリティレベルを向上できる。
【００１８】
請求項５に記載の発明によると、予め定められた所定の順序に従って複数のセンサ装置の各々により監視対象の状態が検出されたとき、モニタ装置が第１モードから第２モードへ移行される。ここで、第１モードを解除するための該所定の順序を解析し難いものとすれば高いセキュリティレベルが得られる。一方、該所定の順序を解析し易いものとすれば優れた利便性が得られる。要するに、モニタシステムに要求されるセキュリティレベルや利便性に応じた適切な順序を所望に応じて任意に設定することが可能である。従って、柔軟に対処することができる。
【００１９】
請求項６に記載の発明によると、該所定の順序に従って検出されるべき複数の状態の少なくとも１つが、該状態が検出されるべき猶予期間内に検出されなかった場合、モニタ装置の第１モードが維持される。従って、セキュリティレベルを向上できる。
【発明の効果】
【００２０】
本発明は、以上のように構成されているため、次のような効果を奏する。
請求項１〜請求項６のいずれか１項に記載の発明によれば、柔軟に対処することができる。
【発明を実施するための最良の形態】
【００２１】
以下、本発明を住宅のモニタシステムに具体化した一実施形態を説明する。
図１に示すように、モニタシステム１は、センサ装置２とドアセンサ装置３とモニタ装置４とを備えている。センサ装置２は、窓（監視対象）の施解錠状態を検出するためのものである。ドアセンサ装置３は、ドア（監視対象）の施解錠状態を検出するためのものである。要するに、センサ装置２やドアセンサ装置３は、監視対象の状態として、互いに異なる２つの状態である第１状態（施錠状態）及び第２状態（解錠状態）の各々を選択的に検出可能である。特に、センサ装置（センサ装置２とドアセンサ装置３とを含む上位概念）は、互いに異なる複数の監視対象の各々の状態を検出すべく、複数のセンサ装置を含む。モニタ装置４は、センサ装置２やドアセンサ装置３により検出された監視対象の施解錠状態を報知するためのものである。モニタシステム１は、センサ装置２（送信側）やドアセンサ装置３（送信側）とモニタ装置４（受信側）との間で単方向通信が可能である。
【００２２】
本実施形態のモニタシステム１は、センサ装置２としてセンサ装置２Ａ〜２Ｄが存在する。センサ装置２Ａは、住宅１階の窓Ａの施解錠状態を検出するためのものである。センサ装置２Ｂは、住宅１階の窓Ｂの施解錠状態を検出するためのものである。センサ装置２Ｃは、住宅２階の窓Ｃの施解錠状態を検出するためのものである。センサ装置２Ｄは、住宅２階の窓Ｄの施解錠状態を検出するためのものである。一方、ドアセンサ装置３は、住宅１階の玄関ドアＥの施解錠状態を検出するためのものである。従って、本実施形態のモニタシステム１は、センサ装置２Ａ〜２Ｄの各々（送信側）やドアセンサ装置３（送信側）とモニタ装置４（受信側）との間で単方向通信が可能である。
【００２３】
尚、センサ装置２Ａ〜２Ｄの各々の構成は、互いに同様である。従って、センサ装置２Ａ〜２Ｄの各々の特徴点の説明を除いて、センサ装置２Ａ〜２Ｄの各々の共通点の説明をセンサ装置２の説明で代用する。
【００２４】
センサ装置２は、送信機能を有している。センサ装置２は、リードスイッチ２１、マイコン２２、送信回路２３、送信アンテナ２４を備えている。リードスイッチ２１は、窓の施解錠状態を検出するためのものである。リードスイッチ２１は、窓が施錠状態（ロック状態）にあるときＯＮ作動し、窓が施錠状態にある旨を示す検出信号をマイコン２２に出力する。一方、リードスイッチ２１は、窓が解錠状態（アンロック状態）にあるときＯＦＦ作動し、窓が解錠状態にある旨を示す検出信号をマイコン２２に出力する。
【００２５】
ちなみに、リードスイッチ２１は、窓を施解錠するために操作される被操作手段に内蔵された磁石を検出可能な磁気センサである。つまり、リードスイッチ２１は、窓が施錠されるのに際して、該被操作手段が操作されて磁石がリードスイッチ２１に近接されたとき、ＯＮ作動する。一方、リードスイッチ２１は、窓が解錠されるのに際して、該被操作手段が操作されて磁石がリードスイッチ２１から遠ざかったとき、ＯＦＦ作動する。
【００２６】
マイコン２２は、図示しないＣＰＵ、ＲＯＭ、ＲＡＭ等からなるＣＰＵユニットである。マイコン２２は、不揮発性のメモリ２２ａを備えている。メモリ２２ａには、センサ装置２毎に個別に設定されたＩＤコード（センサ装置２のＩＤコード）が記憶されている。ここで、センサ装置２Ａのメモリ２２ａには、第１ＩＤコードが記憶されている。センサ装置２Ｂのメモリ２２ａには、第２ＩＤコードが記憶されている。センサ装置２Ｃのメモリ２２ａには、第３ＩＤコードが記憶されている。センサ装置２Ｄのメモリ２２ａには、第４ＩＤコードが記憶されている。
【００２７】
マイコン２２は、リードスイッチ２１から検出信号が入力されたとき、センサ装置２のＩＤコードと、該センサ装置２により検出された窓の施解錠状態を示す状態コードとを含むＩＤコード信号を送信回路２３に出力する。つまり、マイコン２２は、リードスイッチ２１から窓が施錠状態にある旨を示す検出信号が入力されたとき、センサ装置２のＩＤコードと、窓が施錠状態にある旨を示す施錠状態コードとを含むＩＤコード信号を送信回路２３に出力する。一方、マイコン２２は、リードスイッチ２１から窓が解錠状態にある旨を示す検出信号が入力されたとき、センサ装置２のＩＤコードと、窓が解錠状態にある旨を示す解錠状態コードとを含むＩＤコード信号を送信回路２３に出力する。
【００２８】
送信回路２３は、マイコン２２から入力されたＩＤコード信号を所定周波数（本実施形態では４２６ＭＨｚ）の電波に変調する。送信アンテナ２４は、送信回路２３により変調されたＩＤコード信号を外部に送信するための媒体である。ちなみに、センサ装置２Ａから送信されるＩＤコード信号は、第１ＩＤコードを含む第１ＩＤコード信号である。センサ装置２Ｂから送信されるＩＤコード信号は、第２ＩＤコードを含む第２ＩＤコード信号である。センサ装置２Ｃから送信されるＩＤコード信号は、第３ＩＤコードを含む第３ＩＤコード信号である。センサ装置２Ｄから送信されるＩＤコード信号は、第４ＩＤコードを含む第４ＩＤコード信号である。
【００２９】
ドアセンサ装置３は、送信機能を有している。ドアセンサ装置３は、リードスイッチ３１、マイコン３２、送信回路３３、送信アンテナ３４を備えている。リードスイッチ３１は、ドアの施解錠状態を検出するためのものである。リードスイッチ３１は、ドアが施錠状態（ロック状態）にあるときＯＮ作動し、ドアが施錠状態にある旨を示す検出信号をマイコン３２に出力する。一方、リードスイッチ３１は、ドアが解錠状態（アンロック状態）にあるときＯＦＦ作動し、ドアが解錠状態にある旨を示す検出信号をマイコン３２に出力する。
【００３０】
ちなみに、リードスイッチ３１は、ドアを施解錠するために操作される被操作手段に内蔵された磁石を検出可能な磁気センサである。つまり、リードスイッチ３１は、ドアが施錠されるのに際して、該被操作手段が操作されて磁石がリードスイッチ３１に近接されたとき、ＯＮ作動する。一方、リードスイッチ３１は、ドアが解錠されるのに際して、該被操作手段が操作されて磁石がリードスイッチ３１から遠ざかったとき、ＯＦＦ作動する。
【００３１】
マイコン３２は、図示しないＣＰＵ、ＲＯＭ、ＲＡＭ等からなるＣＰＵユニットである。マイコン３２は、不揮発性のメモリ３２ａを備えている。メモリ３２ａには、ドアセンサ装置３毎に個別に設定されたＩＤコード（ドアセンサ装置３のＩＤコード）が記憶されている。ここで、メモリ３２ａには、第５ＩＤコードが記憶されている。
【００３２】
マイコン３２は、リードスイッチ３１から検出信号が入力されたとき、ドアセンサ装置３のＩＤコードと、該ドアセンサ装置３により検出されたドアの施解錠状態を示す状態コードとを含むＩＤコード信号を送信回路３３に出力する。つまり、マイコン３２は、リードスイッチ３１からドアが施錠状態にある旨を示す検出信号が入力されたとき、ドアセンサ装置３のＩＤコードと、ドアが施錠状態にある旨を示す施錠状態コードとを含むＩＤコード信号を送信回路３３に出力する。一方、マイコン３２は、リードスイッチ３１からドアが解錠状態にある旨を示す検出信号が入力されたとき、ドアセンサ装置３のＩＤコードと、ドアが解錠状態にある旨を示す解錠状態コードとを含むＩＤコード信号を送信回路３３に出力する。
【００３３】
送信回路３３は、マイコン３２から入力されたＩＤコード信号を所定周波数（本実施形態では４２６ＭＨｚ）の電波に変調する。送信アンテナ３４は、送信回路３３により変調されたＩＤコード信号を外部に送信するための媒体である。ちなみに、ドアセンサ装置３から送信されるＩＤコード信号は、第５ＩＤコードを含む第５ＩＤコード信号である。
【００３４】
モニタ装置４は、受信機能を有している。モニタ装置４は、受信アンテナ４１、受信回路４２、マイコン４３、表示部４４、ブザー４５、モード移行スイッチ４６を備えている。受信アンテナ４１は、センサ装置２やドアセンサ装置３から送信されてくるＩＤコード信号を受信するための媒体である。受信回路４２は、受信アンテナ４１によりＩＤコード信号が受信されたとき、そのＩＤコード信号を復調して受信信号を生成し、その受信信号をマイコン４３に出力する。
【００３５】
マイコン４３は、図示しないＣＰＵ、ＲＯＭ、ＲＡＭ、タイマ等からなるＣＰＵユニットである。マイコン４３は、不揮発性のメモリ４３ａを備えている。メモリ４３ａには、センサ装置２やドアセンサ装置３のＩＤコードと同一のＩＤコード（住宅側のＩＤコード）が記憶されている。本実施形態においてメモリ４３ａには、センサ装置２Ａの第１ＩＤコード、センサ装置２Ｂの第２ＩＤコード、センサ装置２Ｃの第３ＩＤコード、センサ装置２Ｄの第４ＩＤコード、ドアセンサ装置３の第５ＩＤコード、の各々と同一のＩＤコード（住宅側の第１ＩＤコード〜第５ＩＤコード）が記憶されている。
【００３６】
特に、図２に示すように、メモリ４３ａには、住宅側の各ＩＤコードの各々が、後述する表示部４４のＬＥＤ４４ａ〜４４ｅの各々と関連付けされて記憶されている。ちなみに、第１ＩＤコードは、ＬＥＤ４４ａと関連付けされている。第２ＩＤコードは、ＬＥＤ４４ｂと関連付けされている。第３ＩＤコードは、ＬＥＤ４４ｃと関連付けされている。第４ＩＤコードは、ＬＥＤ４４ｄと関連付けされている。第５ＩＤコードは、ＬＥＤ４４ｅと関連付けされている。
【００３７】
マイコン４３は、受信回路４２から受信信号が入力されたとき、その受信信号に含まれているＩＤコードと住宅側の各ＩＤコードのいずれかとが一致しているか否かを判断する。つまり、この場合、マイコン４３は、ＩＤコード照合を実行する。マイコン４３は、両ＩＤコードが一致したとき、該一致したＩＤコード（第１ＩＤコード〜第５ＩＤコードのいずれか）に関連付けされているＬＥＤ（ＬＥＤ４４ａ〜４４ｅのいずれか）に発光指令信号を出力する。また、マイコン４３は、受信回路４２から入力された受信信号に住宅側の各ＩＤコードのいずれかと同一のＩＤコードが含まれており、且つ同受信信号に解錠状態コードが含まれているとき、ブザー４５に鳴動指令信号を出力する。
【００３８】
表示部４４は、ＬＥＤ４４ａ〜４４ｅを備えている。ＬＥＤ４４ａ〜４４ｅの各々は、マイコン４３から発光指令信号が入力されたとき、発光する。ＬＥＤ４４ａ〜４４ｅの各々は、２色ＬＥＤである。つまり、ＬＥＤ４４ａ〜４４ｅの各々は、緑色に発光する一方、赤色にも発光する。ブザー４５は、マイコン４３から鳴動指令信号が入力されたとき、鳴動する。つまり、ブザー４５は、マイコン４３から長時間に亘って鳴動指令信号が入力されたとき、長時間に亘って鳴動することで警報を発するものである。
【００３９】
ところで、モニタ装置４には、在宅モードや警戒モードが存在する。以下、監視対象の施解錠状態の報知態様をモード毎に説明する。
図３に示すように、表示部４４においてＬＥＤ４４ａ〜４４ｅの各々に対応する位置には、監視対象を示す表記が施されている。ちなみに、ＬＥＤ４４ａに対応する位置には、「１階窓Ａ」の表記が施されている。ＬＥＤ４４ｂに対応する位置には、「１階窓Ｂ」の表記が施されている。ＬＥＤ４４ｃに対応する位置には、「２階窓Ｃ」の表記が施されている。ＬＥＤ４４ｄに対応する位置には、「２階窓Ｄ」の表記が施されている。ＬＥＤ４４ｅに対応する位置には、「玄関ドアＥ」の表記が施されている。
【００４０】
そして、在宅モードにおいて１階の窓Ａが施錠状態にあるとき、ＬＥＤ４４ａが緑色に点灯される。同様に、在宅モードにおいて窓Ｂ（窓Ｃ、窓Ｄ）や玄関ドアＥが施錠状態にあるとき、ＬＥＤ４４ｂ（４４ｃ，４４ｄ）やＬＥＤ４４ｅが緑色に点灯される。
【００４１】
一方、在宅モードにおいて１階の窓Ａが解錠状態にあるとき、ＬＥＤ４４ａが赤色に点灯される。同様に、在宅モードにおいて窓Ｂ（窓Ｃ、窓Ｄ）や玄関ドアＥが解錠状態にあるとき、ＬＥＤ４４ｂ（４４ｃ，４４ｄ）やＬＥＤ４４ｅが赤色に点灯される。特に、在宅モードにおいて窓Ａ〜Ｄ及び玄関ドアＥの少なくとも１つが施錠状態から解錠状態に切り替わったとき、ブザー４５が短時間に亘って鳴動される。要するに、在宅モードは、監視対象の状態が警報を発するべき状態であるときでも、警報を発することなく監視対象の状態を報知するモードである。
【００４２】
これに対して、警戒モードにおいて１階の窓Ａが施錠状態にあるとき、ＬＥＤ４４ａが緑色に点灯される。同様に、警戒モードにおいて窓Ｂ（窓Ｃ、窓Ｄ）や玄関ドアＥが施錠状態にあるとき、ＬＥＤ４４ｂ（４４ｃ，４４ｄ）やＬＥＤ４４ｅが緑色に点灯される。
【００４３】
一方、警戒モードにおいて１階の窓Ａが解錠状態にあるとき、ＬＥＤ４４ａが赤色に点滅される。同様に、警戒モードにおいて窓Ｂ（窓Ｃ、窓Ｄ）や玄関ドアＥが解錠状態にあるとき、ＬＥＤ４４ｂ（４４ｃ，４４ｄ）やＬＥＤ４４ｅが赤色に点滅される。特に、警戒モードにおいて窓Ａ〜Ｄ及び玄関ドアＥの少なくとも１つが施錠状態から解錠状態に切り替わったとき、ブザー４５が長時間に亘って鳴動される。要するに、警戒モードは、監視対象の状態が警報を発するべき状態であるときには、警報を発することで監視対象の状態を報知するモードである。
【００４４】
尚、上記のように在宅モードや警戒モードにおいて監視対象の施解錠状態を報知するためには、予めセンサ装置２やドアセンサ装置３をモニタ装置４に登録しておく必要がある。しかし、該登録の手順は本発明の要部ではないため説明を割愛する。
【００４５】
ちなみに、図１に示すモード移行スイッチ４６は、モニタ装置４を在宅モードから警戒モードへ移行させるために操作されるものである。マイコン４３は、モニタ装置４の在宅モード中にモード移行スイッチ４６が操作されたとき、モニタ装置４の在宅モードを解除してモニタ装置４を在宅モードから警戒モードへ移行させる。
【００４６】
次に、モニタシステム１の特徴点について説明する。
さて、本実施形態のモニタシステム１では、モニタ装置４を警戒モードに設定して外出した後、帰宅に伴って玄関ドアＥを解錠したときでも、玄関ドアＥを解錠してから所定時間が経過するまでの期間内に、後述する所定の操作を行った場合に限り、モニタ装置４のブザー４５が長時間に亘って鳴動されないように配慮されている。
【００４７】
それを実現するため、モニタ装置４のマイコン４３は、警戒モードにおいて受信回路４２から玄関ドアＥが施錠状態にある旨を示す施錠状態コードを含む受信信号が入力されている状態で、同受信回路４２から玄関ドアＥが解錠状態にある旨を示す解錠状態コードを含む受信信号が入力されたとき、直ぐにはブザー４５に鳴動指令信号を出力しない。そして、マイコン４３は、このように受信回路４２から玄関ドアＥが解錠状態にある旨を示す解錠状態コードを含む受信信号が入力されて以後、該所定の操作が行われることなく所定時間が経過したとき、ブザー４５に鳴動指令信号を出力する。その結果、このようなとき、ブザー４５が長時間に亘って鳴動される。
【００４８】
換言すれば、家人に対して、ブザー４５が長時間に亘って鳴動されるのを回避するための猶予期間として所定時間が与えられている。従って、家人は、該猶予期間内に該所定の操作を行えばよい。ここで、本実施形態において「所定の操作」は、住宅１階の窓Ｂを３回に亘って解錠した後、住宅１階の窓Ａを２回に亘って解錠することである。詳しくは、施錠されている窓Ｂを解錠、施錠、解錠、施錠、解錠の順に行った後、施錠されている窓Ａを解錠、施錠、解錠の順に行うことである。
【００４９】
ちなみに、窓Ｂを３回に亘って解錠した後、同窓Ｂを施錠し、その後、窓Ａを２回に亘って解錠することも「所定の操作」に含まれる。加えて、窓Ｂを３回に亘って解錠した後、窓Ａを２回に亘って解錠し、その後、同窓Ａを施錠することも「所定の操作」に含まれる。勿論、窓Ｂを３回に亘って解錠した後、同窓Ｂを施錠し、その後、窓Ａを２回に亘って解錠し、さらにその後、同窓Ａを施錠することも「所定の操作」に含まれる。逆に、窓Ａを２回に亘って解錠した後、窓Ｂを３回に亘って解錠することは「所定の操作」に含まれない。要するに、本実施形態において「所定の操作」は、予め定められた所定の順序に従って、センサ装置２やドアセンサ装置３により監視対象の状態が予め定められた所定の回数に亘って検出されるようにするための操作である。
【００５０】
従って、マイコン４３は、該猶予期間内に「所定の操作」が行われたとき、モニタ装置４の警戒モードを解除してモニタ装置４を警戒モードから在宅モードへ移行させる。言うまでもなく、マイコン４３は、受信回路４２から入力される受信信号を指標として「所定の操作」が行われたか否かを判断する。換言すれば、マイコン４３は、予め定められた所定の態様でセンサ装置２やドアセンサ装置３により監視対象の状態が検出されたとき、モニタ装置４を警戒モードから在宅モードへ移行させる。詳しくは、マイコン４３は、該所定の態様として、予め定められた所定の順序に従って、センサ装置２やドアセンサ装置３により監視対象の施錠状態から解錠状態への切り替わりが予め定められた所定の回数に亘って検出されたとき、モニタ装置４を警戒モードから在宅モードへ移行させる。
【００５１】
ところで、本実施形態のモニタシステム１は、モニタ装置４の警戒モードとして、互いに異なる複数（本実施形態では２つ）の警戒モードを含む。つまり、本実施形態では、モニタ装置４の警戒モードとして、在宅警戒モードと外出警戒モードとが存在する。在宅警戒モードは、家人の在宅中に設定されることを前提とした警戒モードである。一方、外出警戒モードは、家人の外出に伴って設定されることを前提とした警戒モードである。以下、図４に示す状態遷移図を参照しながら、モニタ装置４のマイコン４３によるモード移行制御について説明する。
【００５２】
マイコン４３は、在宅モード中にモード移行スイッチ４６が操作されたとき、在宅モードを解除してモニタ装置４を在宅モードから在宅警戒モードへ移行させる。
在宅警戒モード中に窓Ａ〜Ｄ及び玄関ドアＥの少なくとも１つが施錠状態から解錠状態に切り替わって以後、「所定の操作」が行われることなく、所定時間（猶予期間）が経過したとき、ブザー４５が長時間に亘って鳴動される。つまり、マイコン４３は、在宅警戒モード中に監視対象の状態が警報を発するべき状態となって以後、前記所定の態様でセンサ装置２やドアセンサ装置３により監視対象の状態が検出されることなく、予め定められた所定の猶予期間が経過したとき、ブザー４５を介して警報を発する。ちなみに、このように在宅警戒モードにおいてブザー４５が鳴動されている状態でモード移行スイッチ４６が操作されたとき、ブザー４５の鳴動が停止される。
【００５３】
マイコン４３は、在宅警戒モード中に「所定の操作」が行われたとき、在宅警戒モードを解除してモニタ装置４を在宅警戒モードから在宅モードへ移行させる。例えば、マイコン４３は、在宅警戒モード中に窓Ａ〜Ｄ及び玄関ドアＥの少なくとも１つが施錠状態から解錠状態に切り替わって以後、所定時間（猶予期間）が経過するまでの期間内に「所定の操作」が行われたとき、在宅警戒モードを解除してモニタ装置４を在宅警戒モードから在宅モードへ移行させる。
【００５４】
マイコン４３は、在宅警戒モード中にモード移行スイッチ４６が操作されたとき、在宅警戒モードを解除してモニタ装置４を在宅警戒モードから外出警戒モードへ移行させる。
外出警戒モード中に窓Ａ〜Ｄ及び玄関ドアＥの少なくとも１つが施錠状態から解錠状態に切り替わって以後、「所定の操作」が行われることなく、所定時間（猶予期間）が経過したとき、ブザー４５が長時間に亘って鳴動される。つまり、マイコン４３は、外出警戒モード中に監視対象の状態が警報を発するべき状態となって以後、前記所定の態様でセンサ装置２やドアセンサ装置３により監視対象の状態が検出されることなく、予め定められた所定の猶予期間が経過したとき、ブザー４５を介して警報を発する。ちなみに、このように外出警戒モードにおいてブザー４５が鳴動されている状態でモード移行スイッチ４６が操作されても、ブザー４５の鳴動は停止されない。ただし、かかる状態で「所定の操作」が行われたとき、ブザー４５の鳴動が停止される。
【００５５】
マイコン４３は、外出警戒モード中に「所定の操作」が行われたとき、外出警戒モードを解除してモニタ装置４を外出警戒モードから在宅モードへ移行させる。例えば、マイコン４３は、外出警戒モード中に窓Ａ〜Ｄ及び玄関ドアＥの少なくとも１つが施錠状態から解錠状態に切り替わって以後、所定時間（猶予期間）が経過するまでの期間内に「所定の操作」が行われたとき、外出警戒モードを解除してモニタ装置４を外出警戒モードから在宅モードへ移行させる。
【００５６】
以上、詳述したように本実施形態によれば、次のような作用、効果を得ることができる。
（１）予め定められた所定の態様でセンサ装置２やドアセンサ装置３により監視対象の状態が検出されたとき、モニタ装置４が警戒モード（在宅警戒モードと外出警戒モードとを含む上位概念）から在宅モードへ移行される。つまり、暗証コードを入力することなく、モニタ装置４の警戒モードを解除することが可能である。ここで、警戒モードを解除するための該所定の態様を複雑なものとすれば高いセキュリティレベルが得られる。一方、該所定の態様を単純なものとすれば優れた利便性が得られる。要するに、モニタシステム１に要求されるセキュリティレベルや利便性に応じた適切な態様を所望に応じて任意に設定することが可能である。従って、柔軟に対処することができる。
【００５７】
（２）警戒モード中に監視対象の状態が警報を発するべき状態となって以後、所定の態様でセンサ装置２やドアセンサ装置３により監視対象の状態が検出されることなく、所定の猶予期間が経過したとき、警報が発せられる。ここで、該猶予期間を短い期間に設定すれば高いセキュリティレベルが得られる。一方、該猶予期間を長い期間に設定すれば優れた利便性が得られる。要するに、モニタシステム１に要求されるセキュリティレベルや利便性に応じた適切な猶予期間を所望に応じて任意に設定することが可能である。従って、柔軟に対処することができる。
【００５８】
（３）予め定められた所定の回数に亘って「切り替わり」が検出されたとき、モニタ装置４が警戒モードから在宅モードへ移行される。ここで、警戒モードを解除するための該所定の回数を解析し難いものとすれば高いセキュリティレベルが得られる。一方、該所定の回数を解析し易いものとすれば優れた利便性が得られる。要するに、モニタシステム１に要求されるセキュリティレベルや利便性に応じた適切な回数を所望に応じて任意に設定することが可能である。従って、柔軟に対処することができる。
【００５９】
（４）予め定められた所定の順序に従ってセンサ装置２やドアセンサ装置３により監視対象の状態が検出されたとき、モニタ装置４が警戒モードから在宅モードへ移行される。ここで、警戒モードを解除するための該所定の順序を解析し難いものとすれば高いセキュリティレベルが得られる。一方、該所定の順序を解析し易いものとすれば優れた利便性が得られる。要するに、モニタシステム１に要求されるセキュリティレベルや利便性に応じた適切な順序を所望に応じて任意に設定することが可能である。従って、柔軟に対処することができる。
【００６０】
（５）予め定められた所定の順序に従って、センサ装置２やドアセンサ装置３により監視対象の施錠状態から解錠状態への切り替わりが予め定められた所定の回数に亘って検出されたとき、モニタ装置４が警戒モードから在宅モードへ移行される。要するに、所定の順序と所定の回数とを組み合わせた所定の態様を採用することで、上記（３）に記載の作用、効果と上記（４）に記載の作用、効果との相乗的効果が大いに発揮される。
【００６１】
（６）暗証コードを入力することなく、モニタ装置４の警戒モードを解除することが可能である。このため、暗証コード入力用のスイッチを省略可能となる。従って、モニタシステム１のコストを低減できる。勿論、モニタ装置４を小型軽量化できる。加えて、好適な意匠性を醸し出すことができる。
【００６２】
（７）モニタ装置４まで出向かなくてもモニタ装置４の警戒モードを解除できるため、簡便であることは言うまでもない。
尚、前記実施形態は、次のように変更して具体化することも可能である。
【００６３】
・予め定められた「所定の猶予期間」とは互いに目的を異にする「所定の時間」が予め定められた構成を採用してもよい。この場合、マイコン４３は、警戒モード中に監視対象の状態が警報を発するべき状態となって以後、予め定められた「所定の時間」が経過するまでの期間に亘って時間をカウントする。また、マイコン４３は、該期間内にセンサ装置２やドアセンサ装置３により検出された、監視対象の施錠状態から解錠状態への切り替わり、の回数をカウントする。そして、マイコン４３は、該カウントした回数が、予め定められた所定の回数であるときに限り、モニタ装置４を警戒モードから在宅モードへ移行させる。
【００６４】
このように構成すれば、該期間内に所定の回数未満しか「切り替わり」が検出されない場合は勿論のこと、該期間内に所定の回数を超えて「切り替わり」が検出された場合にも、モニタ装置４の警戒モードが維持される。従って、セキュリティレベルを向上できる。
【００６５】
・該所定の順序に従ってセンサ装置２やドアセンサ装置３により監視対象の状態が検出される度に、該状態が検出されて以後、次に検出されるべき状態が検出されるまでに許容される新たな猶予期間が予め設定されている構成を採用してもよい。この場合、マイコン４３は、各猶予期間の各々の範囲内において、該猶予期間内に検出されるべき状態が検出されたとき、モニタ装置４を警戒モードから在宅モードへ移行させる。このように構成すれば、該所定の順序に従って検出されるべき複数の状態の少なくとも１つが、該状態が検出されるべき猶予期間内に検出されなかった場合、モニタ装置４の警戒モードが維持される。従って、セキュリティレベルを向上できる。
【００６６】
・モニタ装置４を在宅警戒モードから在宅モードへ移行させるために必要な「所定の態様」と、モニタ装置４を外出警戒モードから在宅モードへ移行させるために必要な「所定の態様」とが互いに同一である構成、互いに異なる構成、のいずれを採用してもよい。
【図面の簡単な説明】
【００６７】
【図１】モニタシステムの構成を示すブロック図。
【図２】モニタ装置のメモリの記憶内容を示す概念図。
【図３】モニタ装置の表示部を示す概略図。
【図４】モニタ装置のマイコンによるモード移行制御を説明するための状態遷移図。
【符号の説明】
【００６８】
１…モニタシステム、２（２Ａ〜２Ｄ）…センサ装置、３…ドアセンサ装置（センサ装置）、４…モニタ装置、４３…マイコン（制御手段）、４５…ブザー（報知手段）、Ａ〜Ｄ…窓（監視対象）、Ｅ…玄関ドア（監視対象）。
【図１】
2006177026.tif 000003
【図２】
2006177026.tif 000004
【図３】
2006177026.tif 000005
【図４】
2006177026.tif 000006